(57)【要約】【課題】積層されたタイヤの整列状態が振動や風等の外力によって損なわれるのを抑制することができるタイヤ展示装置を提供する。【解決手段】タイヤ展示装置は、垂直方向Ｖに複数のタイヤ９が積層されるタイヤ展示台１と、垂直方向Ｖへ延びるようにタイヤ展示台１に連結された支持部材２と、垂直方向Ｖに積層された複数のタイヤ９の中心孔に挿入されるポール４と、支持部材２に垂直方向Ｖに沿って移動可能に支持され、ポール４が複数のタイヤ９の内周縁に接する状態が保持されるようにポール４を支持する移動部材３とを備えている。【選択図】図８
2020130704.tif 000002
【特許請求の範囲】
【請求項１】
垂直方向に複数のタイヤが積層されるタイヤ展示台と、
前記垂直方向へ延びるように前記タイヤ展示台に連結された支持部材と、
前記垂直方向に積層された前記複数のタイヤの中心孔に挿入されるポールと、
前記支持部材に前記垂直方向に沿って移動可能に支持されるとともに、積層された前記複数のタイヤのうちの隣り合うタイヤに挟まれ、前記ポールが前記複数のタイヤの内周縁に接する状態が保持されるように前記ポールを支持する移動部材と
を備えていることを特徴とするタイヤ展示装置。
【請求項２】
前記移動部材が、
前記支持部材に支持され、前記ポールの前記垂直方向の移動とタイヤ径方向の移動とを許容する移動部材本体と、
前記移動部材本体に固定され、前記ポールの前記垂直方向の移動を許容し、前記ポールの前記タイヤ径方向の移動を規制する規制部材とを有する
ことを特徴とする請求項１に記載のタイヤ展示装置。
【請求項３】
前記タイヤ展示台が、パレット用キャリヤのパレット支持部を受け容れる収容空間部を有する
ことを特徴とする請求項１又は２に記載のタイヤ展示装置。
【請求項４】
前記タイヤ展示台が、台本体と、前記台本体の端部に装着されるハンドルと、前記台本体の底面部に装着されるキャスタとを有する
ことを特徴とする請求項１又は２に記載のタイヤ展示装置。
【請求項５】
前記支持部材が前記ハンドルに連結されている
ことを特徴とする請求項４に記載のタイヤ展示装置。
【請求項６】
前記支持部材の上部に装着され、情報表示物を支持する情報表示物ホルダを備えている
ことを特徴とする請求項１〜５のいずれか１項に記載のタイヤ展示装置。
【請求項７】
前記垂直方向に積層された前記複数のタイヤのうちの上側の４つのタイヤと下側の４つのタイヤとの間に挟まれて前記上側の４つのタイヤの中心孔と前記下側の４つのタイヤの中心孔とを隔てる仕切りプレートと、
前記上側の４つのタイヤの中心孔に収容されてそれらのタイヤの内周縁を支持する断面十字形の上側のタイヤ整列具と、
前記下側の４つのタイヤの中心孔に収容されそれらのタイヤの内周縁を支持する断面十字形の下側のタイヤ整列具と
を備えていることを特徴とする請求項１〜６のいずれか１項に記載のタイヤ展示装置。
【請求項８】
前記ポールが伸縮可能である
ことを特徴とする請求項１〜７のいずれか１項に記載のタイヤ展示装置。
【発明の詳細な説明】
【技術分野】
【０００１】
この発明は、積層されたタイヤの整列状態が振動や風等の外力によって損なわれるのを抑制するためのタイヤ展示装置に関する。
【背景技術】
【０００２】
自動車用のタイヤは、カー用品店、サービスステーション、タイヤ専門店等で、タイヤ展示台に垂直方向へ積み上げられて陳列（いわゆる平積み陳列）されることがある。
【発明の概要】
【発明が解決しようとする課題】
【０００３】
タイヤ展示台に垂直方向へ積み上げられたタイヤが屋外に展示された場合、タイヤに風等が作用してタイヤが揺れ、傾いたり倒れたりすることがある。
【０００４】
また、タイヤが載ったタイヤ展示台を倉庫から屋外のタイヤ展示場所に移動させるとき、床面の凹凸による振動がタイヤ展示台上のタイヤに伝わり、タイヤが傾いたり、崩れたり、倒れたりすることがある。
【０００５】
この発明はこのような事情に鑑みてなされたもので、その課題は、積層されたタイヤの整列状態が振動や風等の外力によって損なわれるのを抑制することである。
【課題を解決するための手段】
【０００６】
上述の課題を解決するため請求項１に記載の発明のタイヤ展示装置は、垂直方向に複数のタイヤが積層されるタイヤ展示台と、前記垂直方向へ延びるように前記タイヤ展示台に連結された支持部材と、前記垂直方向に積層された前記複数のタイヤの中心孔に挿入されるポールと、前記支持部材に前記垂直方向に沿って移動可能に支持されるとともに、積層された前記複数のタイヤのうちの隣り合うタイヤに挟まれ、前記ポールが前記複数のタイヤの内周縁に接する状態が保持されるように前記ポールを支持する移動部材とを備えていることを特徴とする。
【０００７】
請求項２に記載の発明のタイヤ展示装置は、請求項１に記載のタイヤ展示装置において、前記移動部材が、前記支持部材に支持され、前記ポールの前記垂直方向の移動とタイヤ径方向の移動とを許容する移動部材本体と、前記移動部材本体に固定され、前記ポールの前記垂直方向の移動を許容し、前記ポールの前記タイヤ径方向の移動を規制する規制部材とを有することを特徴とする。
【０００８】
請求項３に記載の発明のタイヤ展示装置は、請求項１又は２に記載のタイヤ展示装置において、前記タイヤ展示台が、パレット用キャリヤのパレット支持部を受け容れる収容空間部を有することを特徴とする。
【０００９】
請求項４に記載の発明のタイヤ展示装置は、請求項１又は２に記載のタイヤ展示装置において、前記タイヤ展示台が、台本体と、前記台本体の端部に装着されるハンドルと、前記台本体の底面部に装着されるキャスタとを有することを特徴とする。
【００１０】
請求項５に記載の発明のタイヤ展示装置は、請求項４に記載のタイヤ展示装置において、前記支持部材が前記ハンドルに連結されていることを特徴とする。
【００１１】
請求項６に記載の発明のタイヤ展示装置は、請求項１〜５のいずれか１項に記載のタイヤ展示装置において、前記支持部材の上部に装着され、情報表示物を支持する情報表示物ホルダを備えていることを特徴とする。
【００１２】
請求項７に記載の発明のタイヤ展示装置は、請求項１〜６のいずれか１項に記載のタイヤ展示装置において、前記垂直方向に積層された前記複数のタイヤのうちの上側の４つのタイヤと下側の４つのタイヤとの間に挟まれて前記上側の４つのタイヤの中心孔と前記下側の４つのタイヤの中心孔とを隔てる仕切りプレートと、前記上側の４つのタイヤの中心孔に収容されてそれらのタイヤの内周縁を支持する断面十字形の上側のタイヤ整列具と、前記下側の４つのタイヤの中心孔に収容されそれらのタイヤの内周縁を支持する断面十字形の下側のタイヤ整列具とを備えていることを特徴とする。
【００１３】
請求項８に記載の発明のタイヤ展示装置は、請求項１〜７のいずれか１項に記載のタイヤ展示装置において、前記ポールが伸縮可能であることを特徴とする。
【発明の効果】
【００１４】
この発明は、積層されたタイヤの整列状態が振動や風等の外力によって損なわれるのを抑制することができる。
【図面の簡単な説明】
【００１５】
【図１】図１はこの発明の一実施形態に係るタイヤ展示装置の斜視図である。
【図２】図２は図１のタイヤ展示装置の移動部材の分解斜視図である。
【図３】図３は図１のタイヤ展示装置の移動部材とポールとの関係を示す斜視図である。
【図４】図４はタイヤ整列具を通す孔を有さない情報表示物ホルダの平面図である。
【図５】図５はタイヤ整列具を通す孔を有する情報表示物ホルダの平面図である。
【図６】図６はタイヤ整列具の斜視図である。
【図７】図７は図１のタイヤ展示装置の移動部材とポールとタイヤ整列具とタイヤとの関係を示す概念図である。
【図８】図８は図１のタイヤ展示装置の使用状態を示す斜視図である。
【発明を実施するための形態】
【００１６】
以下、この発明の実施の形態を図面に基づいて説明する。
【００１７】
この発明の一実施形態に係るタイヤ展示装置は、図１、図８に示すように、垂直方向Ｖに８つのタイヤ９が積層されるタイヤ展示台１と、垂直方向Ｖへ延びるようにタイヤ展示台１に連結された支持部材２と、垂直方向Ｖに積層された８つのタイヤ９の中心孔ｈに挿入されてそれらのタイヤ９の内周縁９１（図７参照）に接するポール４と、支持部材２に垂直方向Ｖに沿って移動可能に支持され、ポール４を垂直方向Ｖへ移動可能に支持するとともに、ポール４が８つのタイヤ９の内周縁９１に接する状態を保持する２つの移動部材３と、支持部材２の上部に装着され、情報表示物ＰＯＰ１を支持する情報表示物ホルダ５とを備えている。情報表示物は、例えば、垂直方向Ｖに積層されて展示されたタイヤ９の商品名、価格、サイズ、コピー等の様々な情報が表示された紙（その紙が台紙に貼り付けられたものも含む。）や、いわゆるシート型の液晶や有機ＥＬのディスプレイ等である。
【００１８】
更に、タイヤ展示装置は、８つのタイヤ９のうちの隣接する上下のタイヤ９に挟持され、情報表示物ＰＯＰ２，ＰＯＰ３（図８参照）を支持する情報表示物ホルダ６，７と、８つのタイヤ９の中心孔ｈに収容されてそれらのタイヤ９を支持する２つのタイヤ整列具１０（図６、図７参照）と、８つのタイヤ９のうちの一番上に位置するタイヤ９に装着され、そのタイヤ９の中心孔ｈを閉塞するタイヤカバー８（図８参照）とを備えている。
【００１９】
タイヤ展示台１は、タイヤ９が積層される台本体１１と、台本体１１の端部に連結されるハンドル１２と、台本体１１の底面部に装着されるキャスタ１３とを有する（図１、図８参照）。ハンドル１２は逆Ｕ字形である。タイヤ展示台１に、ハンドル１２が台本体１１に対して平行になるようにハンドル１２を倒せる構造を採用してもよい。図１に示すように、ハンドル１２は平行な一対の垂直部１２Ｖと一対の垂直部１２Ｖを連結する水平部１２Ｈとを有する。ハンドル１２の一対の垂直部１２Ｖ間には平行な３つのビームＢが掛け渡されている。
【００２０】
支持部材２はハンドル１２に連結されている。支持部材２は、スペーサ（図示せず）を介して平行に連結された一対の角材２１からなる。一対の角材２１の間にはスペーサによって所定の隙間２ａが形成されている。支持部材２は垂直方向Ｖへ延びる。一対の角材２１はハンドル１２のビームＢにねじ止めされている。
【００２１】
移動部材３は、図２、図３に示すように、支持部材２に支持され、ポール４の垂直方向Ｖの移動とポール４のタイヤ径方向Ｈの移動とを許容する移動部材本体３１と、移動部材本体３１に固定され、ポール４の垂直方向Ｖの移動を許容し、ポール４のタイヤ径方向Ｈの移動を規制する規制部材３２とを有する。
【００２２】
移動部材本体３１は、平板状のポール支持部３１１と、ポール支持部３１１に連結され、一対の角材２１の隙間２ａに垂直方向Ｖへスライド可能に挿入されるスライド部３１２と、スライド部３１２に連結され、一対の角材２１の隙間２ａからスライド部３１２が抜けるのを妨げるストッパ部３１３とを有する。ポール支持部３１１には折り曲げ線３１１ａが形成されているので、ポール支持部３１１を直角に折り曲げ可能である。
【００２３】
ポール支持部３１１には長孔３１２ａが形成されている。長孔３１２ａは長方形の孔である。長孔３１２ａには、８つのタイヤ９の中心孔ｈに挿入されたポール４が挿入される（図３参照）。ポール４は伸縮可能であり、タイヤ展示台１の台本体１１に積層されるタイヤ９の数やサイズに応じてポール４の長さが調節される。ポール４は、ポール支持部３１１の長孔３１２ａの内周面に、垂直方向Ｖとタイヤ径方向Ｈとに移動可能に支持される。
【００２４】
規制部材３２は、平板状であり、移動部材本体３１のポール支持部３１１に例えば接着剤で固定される。規制部材３２には円形の孔３２ａが形成されている。この孔はほぼ正方形の孔でもよい。移動部材本体３１に対する規制部材３２の固定位置はタイヤ９のサイズに応じて決まる。ポール４は孔３２ａに挿入されており、孔３２ａのサイズはポール４の垂直方向Ｖの移動を許容し、ポール４のタイヤ径方向Ｈの移動を規制するサイズに設定されている。したがって、規制部材３２を移動部材本体３１に固定すると、ポール４がタイヤ９の内周縁９１に接する状態が維持される。
【００２５】
情報表示物ホルダ５は、図８に示すように、支持部材２の上部に装着される。情報表示物ホルダ５は、平板状のホルダ本体５１と、ホルダ本体５１に連結され、一対の角材２１に固定される固定部（図示せず）とを有する。
【００２６】
情報表示物ホルダ（仕切りプレート）６は、８つのタイヤ９のうちの上から４番目のタイヤ９と上から５番目のタイヤ９とに挟持され、上から４番目のタイヤ９の中心孔ｈと上から５番目のタイヤ９の中心孔ｈとを隔てるホルダ本体６１と、ホルダ本体６１に設けられ、情報表示物ＰＯＰ２に接続される接続部６２と、ポール４を収める切欠き部６３とを有する（図４参照）。
【００２７】
情報表示物ホルダ７は、８つのタイヤ９のうちの上から１番目のタイヤ９と上から２番目のタイヤ９とに挟持されるホルダ本体７１と、ホルダ本体７１に設けられ、情報表示物ＰＯＰ３に接続される接続部７２と、ポール４を収める切欠き部７３とを有する（図５参照）。ホルダ本体７１には、上から１番目のタイヤ９の中心孔ｈと上から２番目のタイヤ９の中心孔ｈとをつなげる十字形の孔７４が形成されている。
【００２８】
情報表示物ホルダ６はタイヤ９の外周面部９３に配置される情報表示物ＰＯＰ２を支持し、情報表示物ホルダ７はタイヤ９の外周面部９３に配置される情報表示物ＰＯＰ３を支持する。
【００２９】
情報表示物ホルダ６は、上側の４つのタイヤ９の中心孔ｈと下側の４つのタイヤ９の中心孔ｈとを隔てる仕切りプレートとして機能し、上側の４つのタイヤ９の中心孔ｈに収容される断面十字形の上側のタイヤ整列具１０の下部を支持する。
【００３０】
情報表示物ホルダ７は、十字形の孔７４を有しているので、上側のタイヤ整列具１０の上部を上から１番目のタイヤ９の中心孔ｈに逃がして、上側の４つのタイヤ９の中心孔ｈに上側のタイヤ整列具１０を収容させることができる。
【００３１】
２つのタイヤ整列具１０はいずれも断面十字形（タイヤ整列具１０を垂直方向Ｖから見たときの形状がほぼ十字形）である。上側のタイヤ整列具１０は、上側の４つのタイヤ９の中心孔ｈに収容されてそれらのタイヤ９の内周縁９１を支持し、下側のタイヤ整列具１０は、下側の４つのタイヤ９の中心孔ｈに収容されてそれらのタイヤ９の内周縁９１を支持する。
【００３２】
タイヤカバー８は、８つのタイヤ９のうちの上から１番目のタイヤ９の一方（上側）の側面部９２に配置され、そのタイヤ９の中心孔ｈを閉塞する円形のプレート本体８１と、プレート本体８１に連結され、タイヤ９に巻き付けられてプレート本体８１をタイヤ９の側面部９２に固定する一対のベルト８２とを有する。
【００３３】
次に、タイヤ展示装置の一つの具体的な使用態様を説明する。
【００３４】
まず、タイヤ展示台１の台本体１１に１つのタイヤ９を載せ、次に、そのタイヤ９の側面部９２に一方（下側）の移動部材３を載せる。そして、その移動部材３の規制部材３２の孔３２ａにポール４を挿入するとともに、そのポール４をタイヤ９の中心孔ｈに挿入する。なお、規制部材３２は展示するタイヤ９のサイズに応じて移動部材本体３１に予め固定されている。
【００３５】
その後、そのタイヤ９の中心孔ｈに一方（下側）のタイヤ整列具１０を挿入する。このとき、タイヤ整列具１０が移動部材３にぶつからないように、タイヤ整列具１０をタイヤ９の中心孔ｈに挿入する。一方のタイヤ整列具１０は台本体１１に載る。
【００３６】
次に、台本体１１上の１つのタイヤ９に一方の移動部材３を介して３つのタイヤ９を積み上げる。
【００３７】
その後、下から四番目のタイヤ９に情報表示物ホルダ６を載せる。このとき、ポール４を伸ばすとともに、ポール４を情報表示物ホルダ６の切欠き部６３に収める。
【００３８】
次に、情報表示物ホルダ６を介して下から四番目のタイヤ９に一つのタイヤ９を載せるとともに、他方（上側）のタイヤ整列具１０を下から五番目のタイヤ９の中心孔ｈに挿入する。このとき他方のタイヤ整列具１０は情報表示物ホルダ６に載る。
【００３９】
その後、そのタイヤ９に２つのタイヤ９を積み上げる。
【００４０】
次に、下から七番目のタイヤ９に情報表示物ホルダ７を載せるとともに、情報表示物ホルダ７に他方（上側）の移動部材３を載せる。このとき、タイヤ整列具１０の上部を情報表示物ホルダ７の孔７４を通じて上方へ逃がすとともに、ポール４を情報表示物ホルダ７の切欠き部７３に収め、更に、ポール４の上端部を他方の移動部材３の規制部材３２の孔３２ａに挿入する。
【００４１】
その後、他方の移動部材３と情報表示物ホルダ７とを介して上から七番目のタイヤ９に１つのタイヤ９を積み上げる。
【００４２】
最後に、タイヤ９内に雨水や塵埃が進入しないように、上から一番目のタイヤ９にタイヤカバー８を装着する。すなわち、タイヤカバー８のベルト８２をタイヤ９に巻き付けて、プレート本体８１を上から一番目のタイヤ９の一方（上側）の側面部９２に固定する。
【００４３】
なお、情報表示物ホルダ６，７の接続部６２，７２には予め情報表示物ＰＯＰ２，ＰＯＰ３が接続されているので、タイヤ９の外周面９３に情報表示物が配置される。
【００４４】
積層された８つのタイヤ９が載ったタイヤ展示台１を、屋内から屋外のタイヤ展示場所に移動させるとき、地面の凹凸による振動がタイヤ展示台１上のタイヤ９に伝わり、タイヤ９が大きく揺れようとするが、ポール４が８つのタイヤ９の中心孔ｈの内周縁９１に接触するとともに、８つのタイヤ９の中心孔ｈに収容されている２つのタイヤ整列具１０がタイヤ９の中心孔ｈの内周縁９１に４５度間隔に接触するので、タイヤ９の揺れやタイヤ９間の水平方向Ｈの位置ずれが抑制され、積層されたタイヤ９の整列状態は損なわれにくい。
【００４５】
また、タイヤ９の展示中、風等の外力がタイヤ展示台１上のタイヤ９に作用したとしても、タイヤ９が載ったタイヤ展示台１を運搬したときと同様に、ポール４やタイヤ整列具１０によるタイヤ整列状態維持機能が働くため、タイヤ９の揺れやタイヤ９間の水平方向Ｈの位置ずれが抑制され、積層されたタイヤ９の整列状態は損なわれにくい。
【００４６】
この実施形態のタイヤ展示装置は、上述のように、移動部材３の移動部材本体３１の長孔３１２ａと規制部材３２の孔３２ａとに挿入されたポール４がタイヤ９の中心孔ｈに挿入され、ポール４が８つのタイヤ９の中心孔ｈの内周縁９１に接触するので、タイヤ９が傾いたり崩れたり倒れたりするのを抑制することができる。
【００４７】
また、８つのタイヤ９の中心孔ｈに垂直方向Ｖに沿って２つのタイヤ整列具１０が収容され、その２つのタイヤ整列具１０がタイヤ９の中心孔ｈの内周縁９１に４５度間隔に接触するので、タイヤ９が傾いたり崩れたり倒れたりするのをより確実に抑制することができる。
【００４８】
なお、上述の実施形態では、タイヤ展示台１に連結された１つの支持部材２と、垂直方向Ｖに積層された８つのタイヤ９の中心孔ｈに挿入されてそのタイヤ９の内周縁９１に接する１つのポール４と、１つのポール４を支持する２つの移動部材３とでタイヤ展示装置を構成したが、他の実施形態として、複数の支持部材２と複数のポール４と複数の移動部材３とでタイヤ展示装置（図示せず）を構成してもよい。
【００４９】
また、上述の実施形態では、移動部材本体３１と移動部材本体３１に固定される規制部材３２とで移動部材３を構成したが、他の実施形態として、移動部材３を１つの部材で構成してもよい。この実施形態では、支持部材２に移動可能に支持される移動部材本体３１に、ポール４の垂直方向Ｖの移動を許容し、ポール４のタイヤ径方向Ｈの移動を規制する孔（図示しない）を形成することにより、規制部材３２を用いないようにする。
【００５０】
更に、上述の実施形態では、タイヤ展示台として、台本体１１とハンドル１２とキャスタ１３とを有するタイヤ展示台１を採用したが、他の実施形態として、ハンドル１２とキャスタ１３とを有さないタイヤ展示台であって、図示しないパレット用キャリヤのパレット支持部を受け容れる受容空間部を有する公知のタイヤ展示台（図示せず）を採用してもよい。
【００５１】
また、上述の実施形態では、支持部材２をタイヤ展示台１のハンドル１２に連結したが、他の実施形態として、支持部材２をタイヤ展示台１のハンドル１２に連結せず、台本体１１に連結するようにしてもよい。なお、上述の実施形態では、支持部材２をタイヤ展示台１のハンドル１２の一対の垂直部１２Ｖ間に掛け渡された複数のビームＢに連結したが、他の実施形態として、支持部材２をタイヤ展示台１のハンドル１２の一対の垂直部１２Ｖ間に掛け渡された矩形の枠体（図示せず）に連結してもよい。
【００５２】
更に、上述の実施形態では、支持部材２の上部に情報表示物ホルダ５を装着したが、支持部材２の上部に情報表示物ホルダ５を装着しなくともよい。
【００５３】
また、上述の実施形態では、ポール４が伸縮可能であるが、必ずしもポール４を伸縮可能にする必要はない。
【００５４】
また、上述の実施形態では、２つの情報表示物ホルダ６，７と２つのタイヤ整列具１０と１つのタイヤカバー８とを採用したが、必ずしもこれらを採用する必要はない。
【符号の説明】
【００５５】
１  タイヤ展示台
１０  タイヤ整列具
１１  台本体
１２  ハンドル
１２Ｖ  垂直部
１２Ｈ  水平部
１３  キャスタ
２  支持部材
２ａ  隙間
２１  角材
３  移動部材
３１  移動部材本体
３１１  ポール支持部
３１１ａ  折り曲げ線
３１２  スライド部
３１２ａ  長孔
３１３  ストッパ部
３２  規制部材
３２ａ  孔
４  ポール
５  情報表示物ホルダ
５１  ホルダ本体
６  情報表示物ホルダ（仕切りプレート）
６１  ホルダ本体
６２  接続部
６３  切欠き部
７  情報表示物ホルダ
７１  ホルダ本体
７２  接続部
７３  切欠き部
７４  孔
８  タイヤカバー
８１  プレート本体
８２  ベルト
９  タイヤ
９１  タイヤの内周縁
９２  タイヤの側面部
９３  タイヤの外周面部
Ｂ  ビーム
ｈ  タイヤの中心孔
Ｖ  垂直方向
Ｈ  タイヤ径方向
ＰＯＰ１〜ＰＯＰ３  情報表示物
【図１】
2020130704.tif 000003
【図２】
2020130704.tif 000004
【図３】
2020130704.tif 000005
【図４】
2020130704.tif 000006
【図５】
2020130704.tif 000007
【図６】
2020130704.tif 000008
【図７】
2020130704.tif 000009
【図８】
2020130704.tif 000010
【手続補正書】
【提出日】令和1年12月27日(2019.12.27)
【手続補正１】
【補正対象書類名】明細書
【補正対象項目名】０００８
【補正方法】変更
【補正の内容】
【０００８】
請求項３に記載の発明のタイヤ展示装置は、請求項１又は２に記載のタイヤ展示装置において、前記タイヤ展示台が、フォークリフトのフォークを受け容れる収容空間部を有することを特徴とする。
【手続補正２】
【補正対象書類名】特許請求の範囲
【補正対象項目名】全文
【補正方法】変更
【補正の内容】
【特許請求の範囲】
【請求項１】
垂直方向に複数のタイヤが積層されるタイヤ展示台と、
前記垂直方向へ延びるように前記タイヤ展示台に連結された支持部材と、
前記垂直方向に積層された前記複数のタイヤの中心孔に挿入されるポールと、
前記支持部材に前記垂直方向に沿って移動可能に支持されるとともに、積層された前記複数のタイヤのうちの隣り合うタイヤに挟まれ、前記ポールが前記複数のタイヤの内周縁に接する状態が保持されるように前記ポールを支持する移動部材と
を備えていることを特徴とするタイヤ展示装置。
【請求項２】
前記移動部材が、
前記支持部材に支持され、前記ポールの前記垂直方向の移動とタイヤ径方向の移動とを許容する移動部材本体と、
前記移動部材本体に固定され、前記ポールの前記垂直方向の移動を許容し、前記ポールの前記タイヤ径方向の移動を規制する規制部材とを有する
ことを特徴とする請求項１に記載のタイヤ展示装置。
【請求項３】
前記タイヤ展示台が、フォークリフトのフォークを受け容れる収容空間部を有する
ことを特徴とする請求項１又は２に記載のタイヤ展示装置。
【請求項４】
前記タイヤ展示台が、台本体と、前記台本体の端部に装着されるハンドルと、前記台本体の底面部に装着されるキャスタとを有する
ことを特徴とする請求項１又は２に記載のタイヤ展示装置。
【請求項５】
前記支持部材が前記ハンドルに連結されている
ことを特徴とする請求項４に記載のタイヤ展示装置。
【請求項６】
前記支持部材の上部に装着され、情報表示物を支持する情報表示物ホルダを備えている
ことを特徴とする請求項１〜５のいずれか１項に記載のタイヤ展示装置。
【請求項７】
前記垂直方向に積層された前記複数のタイヤのうちの上側の４つのタイヤと下側の４つのタイヤとの間に挟まれて前記上側の４つのタイヤの中心孔と前記下側の４つのタイヤの中心孔とを隔てる仕切りプレートと、
前記上側の４つのタイヤの中心孔に収容されてそれらのタイヤの内周縁を支持する断面十字形の上側のタイヤ整列具と、
前記下側の４つのタイヤの中心孔に収容されそれらのタイヤの内周縁を支持する断面十字形の下側のタイヤ整列具と
を備えていることを特徴とする請求項１〜６のいずれか１項に記載のタイヤ展示装置。
【請求項８】
前記ポールが伸縮可能である
ことを特徴とする請求項１〜７のいずれか１項に記載のタイヤ展示装置。
【手続補正書】
【提出日】令和2年5月21日(2020.5.21)
【手続補正１】
【補正対象書類名】明細書
【補正対象項目名】０００８
【補正方法】削除
【補正の内容】
【手続補正２】
【補正対象書類名】明細書
【補正対象項目名】０００９
【補正方法】変更
【補正の内容】
【０００９】
請求項３に記載の発明のタイヤ展示装置は、請求項１又は２に記載のタイヤ展示装置において、前記タイヤ展示台が、台本体と、前記台本体の端部に装着されるハンドルと、前記台本体の底面部に装着されるキャスタとを有することを特徴とする。
【手続補正３】
【補正対象書類名】明細書
【補正対象項目名】００１０
【補正方法】変更
【補正の内容】
【００１０】
請求項４に記載の発明のタイヤ展示装置は、請求項３に記載のタイヤ展示装置において、前記支持部材が前記ハンドルに連結されていることを特徴とする。
【手続補正４】
【補正対象書類名】明細書
【補正対象項目名】００１１
【補正方法】変更
【補正の内容】
【００１１】
請求項５に記載の発明のタイヤ展示装置は、請求項１〜４のいずれか１項に記載のタイヤ展示装置において、前記支持部材の上部に装着され、情報表示物を支持する情報表示物ホルダを備えていることを特徴とする。
【手続補正５】
【補正対象書類名】明細書
【補正対象項目名】００１２
【補正方法】変更
【補正の内容】
【００１２】
請求項６に記載の発明のタイヤ展示装置は、請求項１〜５のいずれか１項に記載のタイヤ展示装置において、前記垂直方向に積層された前記複数のタイヤのうちの上側の４つのタイヤと下側の４つのタイヤとの間に挟まれて前記上側の４つのタイヤの中心孔と前記下側の４つのタイヤの中心孔とを隔てる仕切りプレートと、前記上側の４つのタイヤの中心孔に収容されてそれらのタイヤの内周縁を支持する断面十字形の上側のタイヤ整列具と、前記下側の４つのタイヤの中心孔に収容されそれらのタイヤの内周縁を支持する断面十字形の下側のタイヤ整列具とを備えていることを特徴とする。
【手続補正６】
【補正対象書類名】明細書
【補正対象項目名】００１３
【補正方法】変更
【補正の内容】
【００１３】
請求項７に記載の発明のタイヤ展示装置は、請求項１〜６のいずれか１項に記載のタイヤ展示装置において、前記ポールが伸縮可能であることを特徴とする。
【手続補正７】
【補正対象書類名】特許請求の範囲
【補正対象項目名】全文
【補正方法】変更
【補正の内容】
【特許請求の範囲】
【請求項１】
垂直方向に複数のタイヤが積層されるタイヤ展示台と、
前記垂直方向へ延びるように前記タイヤ展示台に連結された支持部材と、
前記垂直方向に積層された前記複数のタイヤの中心孔に挿入されるポールと、
前記支持部材に前記垂直方向に沿って移動可能に支持されるとともに、積層された前記複数のタイヤのうちの隣り合うタイヤに挟まれ、前記ポールが前記複数のタイヤの内周縁に接する状態が保持されるように前記ポールを支持する移動部材と
を備えていることを特徴とするタイヤ展示装置。
【請求項２】
前記移動部材が、
前記支持部材に支持され、前記ポールの前記垂直方向の移動とタイヤ径方向の移動とを許容する移動部材本体と、
前記移動部材本体に固定され、前記ポールの前記垂直方向の移動を許容し、前記ポールの前記タイヤ径方向の移動を規制する規制部材とを有する
ことを特徴とする請求項１に記載のタイヤ展示装置。
【請求項３】
前記タイヤ展示台が、台本体と、前記台本体の端部に装着されるハンドルと、前記台本体の底面部に装着されるキャスタとを有する
ことを特徴とする請求項１又は２に記載のタイヤ展示装置。
【請求項４】
前記支持部材が前記ハンドルに連結されている
ことを特徴とする請求項３に記載のタイヤ展示装置。
【請求項５】
前記支持部材の上部に装着され、情報表示物を支持する情報表示物ホルダを備えている
ことを特徴とする請求項１〜４のいずれか１項に記載のタイヤ展示装置。
【請求項６】
前記垂直方向に積層された前記複数のタイヤのうちの上側の４つのタイヤと下側の４つのタイヤとの間に挟まれて前記上側の４つのタイヤの中心孔と前記下側の４つのタイヤの中心孔とを隔てる仕切りプレートと、
前記上側の４つのタイヤの中心孔に収容されてそれらのタイヤの内周縁を支持する断面十字形の上側のタイヤ整列具と、
前記下側の４つのタイヤの中心孔に収容されそれらのタイヤの内周縁を支持する断面十字形の下側のタイヤ整列具と
を備えていることを特徴とする請求項１〜５のいずれか１項に記載のタイヤ展示装置。
【請求項７】
前記ポールが伸縮可能である
ことを特徴とする請求項１〜６のいずれか１項に記載のタイヤ展示装置。